(57)【要約】  本願は、脈波伝導パラメータの測量システム（１００）及び方法（７００）を提供する。当該方法（７００）は、１つ又は複数のプロセッサ（４０３）によって、第１の光ファイバセンサ（６０１）から仰臥対象（１０２）の第１の振動情報を取得するステップ（ステップ７１１）と、前記第１の光ファイバセンサ（６０１）が、前記仰臥対象（１０２）の第４の胸椎体に対応して背部区域の下に放置されるように配置され、前記１つ又は複数のプロセッサ（４０３）によって、第２の光ファイバセンサ（６０３）から前記仰臥対象（１０２）の第２の振動情報を取得するステップ（ステップ７１３）と、前記第２の光ファイバセンサ（６０３）が、前記仰臥対象（１０２）の第４の腰椎体に対応して腰部区域の下に放置されるように配置され、前記１つ又は複数のプロセッサ（４０３）によって、前記第１の振動情報に基づいて第１の血流力学関連情報を生成するとともに、前記第２の振動情報に基づいて第２の血流力学関連情報を生成するステップ（ステップ７１５）と、これにより前記仰臥対象の大動脈脈波伝導時間を確定するステップ（ステップ７１９）と、を含む。
2021521963.tif 000002
【特許請求の範囲】
【請求項１】
方法であって、前記方法は、
１つ又は複数の処理装置によって、第１の光ファイバセンサから仰臥対象の第１の振動情報を取得するステップと、前記第１の光ファイバセンサが、前記仰臥対象の第４の胸椎体に対応して背部区域の下に放置されるように配置され、
前記１つ又は複数の処理装置によって、第２の光ファイバセンサから前記仰臥対象の第２の振動情報を取得するステップと、前記第２の光ファイバセンサが、前記仰臥対象の第４の腰椎体に対応して腰部区域の下に放置されるように配置され、
前記１つ又は複数の処理装置によって、前記第１の振動情報に基づいて第１の血流力学関連情報を生成するとともに、前記第２の振動情報に基づいて第２の血流力学関連情報を生成するステップと、
前記１つ又は複数の処理装置によって、前記第１の血流力学関連情報に基づいて前記仰臥対象の大動脈弁開時間を確定するとともに、前記第２の血流力学関連情報に基づいて前記仰臥対象の脈波到達時間を確定するステップと、
前記１つ又は複数の処理装置によって、前記大動脈弁開時間と前記脈波到達時間に基づいて前記仰臥対象の大動脈脈波伝導時間を確定するステップと、を含む、
ことを特徴とする方法。
【請求項２】
前記第１の光ファイバセンサ又は前記第２の光ファイバセンサは、
ほぼ１つの平面に位置するように配列された構造になった１つの光ファイバと、
前記１つ又は複数の光ファイバの一端にカップリングされた光源と、
前記１つの光ファイバの他端にカップリングされ、前記光ファイバを通過した光度の変化を感知するように配置される受信機と、
開口を有するメッシュで構成された１つのメッシュ層と、を含み、
前記メッシュ層は、前記光ファイバの表面と当接されている、
ことを特徴とする請求項１に記載の方法。
【請求項３】
前記１つ又は複数の処理装置によって、前記第１の振動情報に基づいて第１の血流力学関連情報を生成するとともに、前記第２の振動情報に基づいて第２の血流力学関連情報を生成するステップは、
前記第１の振動情報と前記第２の振動情報に対して、それぞれフィルタリング・拡縮して前記第１の血流力学関連情報と第２の血流力学関連情報を生成するステップ、を更に含む、
ことを特徴とする請求項１に記載の方法。
【請求項４】
前記１つ又は複数の処理装置によって、前記第１の血流力学関連情報に基づいて前記仰臥対象の大動脈弁開時間を確定するステップは、
前記第１の血流力学関連情報を２階微分演算するステップと、
２階微分演算した第１の血流力学関連情報の波形図を特徴検索して心拍周期内の最高ピークを確定するステップと、
前記最高ピークによって前記仰臥対象の大動脈弁開時間を確定するステップと、を更に含む、
ことを特徴とする請求項１に記載の方法。
【請求項５】
前記方法は、
前記１つ又は複数の処理装置によって、前記第１の光ファイバセンサと前記第２の光ファイバセンサの体の身長の方向に沿った距離を取得して前記仰臥対象の大動脈脈波伝導距離を生成するステップと、
前記１つ又は複数の処理装置によって、前記大動脈脈波伝導距離と前記大動脈脈波伝導時間によって、大動脈脈波伝導速度を確定するステップと、を更に含む、
ことを特徴とする請求項１に記載の方法。
【請求項６】
前記方法は、
前記１つ又は複数の処理装置によって、前記大動脈脈波伝導時間と前記大動脈脈波伝導速度の中の少なくとも１つを１つ又は複数の出力装置に送信するステップを更に含む、
ことを特徴とする請求項５に記載の方法。
【請求項７】
システムであって、
仰臥対象の第４の胸椎体の付近区域に放置されるように配置され、前記仰臥対象の第１の振動情報を取得するための第１の光ファイバセンサと、
前記仰臥対象の第４の腰椎体の付近区域に放置されるように配置され、前記仰臥対象の第２の振動情報を取得するための第２の光ファイバセンサと、
１つ又は複数の処理装置と、
１つ又は複数のコンピュータ読取可能な記憶媒体と、
を含み、
前記１つ又は複数のコンピュータ読取可能な記憶媒体に指令が記憶され、前記指令が１つ又は複数の処理装置で実行される場合に、以下の操作：
前記第１の光ファイバセンサから仰臥対象の第１の振動情報を取得するステップと、
前記第２の光ファイバセンサから前記仰臥対象の第２の振動情報を取得するステップと、
前記第１の振動情報に基づいて第１の血流力学関連情報を生成するとともに、前記第２の振動情報に基づいて第２の血流力学関連情報を生成するステップと、
前記第１の血流力学関連情報に基づいて前記仰臥対象の大動脈弁開時間を確定するとともに、前記第２の血流力学関連情報に基づいて前記仰臥対象の脈波到達時間を確定するステップと、
前記大動脈弁開時間と前記脈波到達時間に基づいて前記仰臥対象の大動脈脈波伝導時間を確定するステップと、
を実現する、ことを特徴とするシステム。
【請求項８】
前記第１の光ファイバセンサ又は前記第２の光ファイバセンサは、
ほぼ１つの平面に位置するように配列された構造になった１つの光ファイバと、
前記１つ又は複数の光ファイバの一端にカップリングされた光源と、
前記１つの光ファイバの他端にカップリングされ、前記光ファイバを通過した光度の変化を感知するように配置される受信機と、
開口を有するメッシュで構成された１つのメッシュ層と、を含み、
前記メッシュ層は、前記光ファイバの表面と当接されている、
ことを特徴とする請求項７に記載のシステム。
【請求項９】
前記第１の振動情報に基づいて第１の血流力学関連情報を生成するとともに、前記第２の振動情報に基づいて第２の血流力学関連情報を生成するステップは、
前記第１の振動情報と前記第２の振動情報に対して、それぞれフィルタリング・拡縮して前記第１の血流力学関連情報と第２の血流力学関連情報を生成するステップを更に含む、
ことを特徴とする請求項７に記載のシステム。
【請求項１０】
前記第１の血流力学関連情報に基づいて前記仰臥対象の大動脈弁開時間を確定するステップは、
前記第１の血流力学関連情報を２階微分演算するステップと、
２階微分演算した第１の血流力学関連情報の波形図を特徴検索して心拍周期内の最高ピークを確定するステップと、
前記最高ピークによって前記仰臥対象の大動脈弁開時間を確定するステップと、を更に含む、
ことを特徴とする請求項７に記載のシステム。
【請求項１１】
前記１つ又は複数の処理装置は、以下の操作：
前記第１の光ファイバセンサと前記第２の光ファイバセンサの体の身長方向に沿った距離を取得して前記仰臥対象の大動脈脈波伝導距離を生成するステップと、
前記１つ又は複数の処理装置によって、前記大動脈脈波伝導距離と前記大動脈脈波伝導時間によって、大動脈脈波伝導速度を確定するステップと、を更に実行するように配置される、ことを特徴とする請求項７に記載のシステム。
【請求項１２】
前記１つ又は複数の処理装置は、以下の操作：
前記１つ又は複数の処理装置によって、前記大動脈脈波伝導時間と前記大動脈脈波伝導速度の中の少なくとも１つを１つ又は複数の出力装置に送信するステップ、
を更に実行するように配置される、
ことを特徴とする請求項１１に記載のシステム。
【請求項１３】
装置であって、
上カバーと下カバーを具備し、背部区域と腰部区域を具備し、仰臥対象を横たわるための本体と、
前記本体の背部区域に放置されるように配置され、前記仰臥対象の第１の振動情報を取得するための第１の光ファイバセンサと、
複数の光ファイバセンサを具備し、前記本体の腰部区域に放置されるように配置され、前記仰臥対象の第２の振動情報を取得するための第２の光ファイバセンサセットと、を含み、
前記上カバーと下カバーは、前記第１の光ファイバセンサと前記第２の光ファイバセンサセットを内部に被覆する、
ことを特徴とする装置。
【請求項１４】
前記装置は、枕を更に含み、前記枕が前記上カバーに設けられ、前記仰臥対象の頸を当てることに用いられ、これにより前記仰臥対象が測量位置に位置することを確保する、
ことを特徴とする請求項１３に記載の装置。
【請求項１５】
前記装置は、肩部ストッパーを更に含み、前記肩部ストッパーが前記上カバーに設けられ、前記仰臥対象の肩を当てることに用いられ、これにより前記仰臥対象が測量位置に位置することを確保する、
ことを特徴とする請求項１３に記載の装置。
【請求項１６】
前記本体は、下肢区域を更に含み、前記装置は、脚部ストッパーを更に含み、前記脚部ストッパーが前記上カバーの下肢区域に設けられ、前記仰臥対象の脚部又は下腿を当てることに用いられ、これにより前記仰臥対象が測量位置に位置することを確保する、
ことを特徴とする請求項１３に記載の装置。
【請求項１７】
前記本体の上カバーは、立体構造を採用することができ、人体輪郭凹み構造を含み、これにより前記仰臥対象が測量位置に位置することを確保する、
ことを特徴とする請求項１３に記載の装置。
【請求項１８】
前記第２の光ファイバセンサセットの内の複数の光ファイバセンサが前記本体の縦軸に沿って配列されるように配置される、
ことを特徴とする請求項１３に記載の装置。
【請求項１９】
前記光ファイバセンサは、
ほぼ１つの平面に位置するように配列された構造になった１つの光ファイバと、
前記１つ又は複数の光ファイバの一端にカップリングされた光源と、
前記１つの光ファイバの他端にカップリングされ、前記光ファイバを通過した光度の変化を感知するように配置される受信機と、
開口を有するメッシュで構成された１つのメッシュ層と、を含み、
前記メッシュ層は、前記光ファイバの表面と当接されている、
ことを特徴とする請求項１３に記載の装置。
【発明の詳細な説明】
【技術分野】
【０００１】
本願は、脈波伝導パラメータの測定システム及び方法に関し、特別に、非侵襲的脈波伝導パラメータの測定システム及び方法に関する。
【背景技術】
【０００２】
ここで述べるものは、本願に関わる背景情報を提供するだけであり、先行技術を必然的に構成することはない。
【０００３】
世界各地域で、心脳血管疾患は、発病と死亡を招く重要な原因であり、心脳血管疾患の発病率と死亡率は、動脈血管の病変に関わる。例えば、狭心症と心筋梗塞は、冠状動脈病変に関わり、脳卒中は、脳動脈病変に関わり、間欠性跛行は、下肢動脈病変に関わる。動脈病変の２つの主要な形態は、構造性病変と機能性病変を含み、構造性病変は、血管閉塞に表現し、例えば、動脈粥状硬化であり、機能性病変は、血管機能の変化に表現し、例えば、血管硬化である。なお、動脈血管壁の弾性の変化は、各種心血管イベントの発生と発展の基礎である。
【０００４】
心臓周期性の収縮と拡張は、動脈血管中の血流の流速と流量の変化を引き起こすだけでなく、血管壁に沿って伝導する脈波を生成することもできる。脈波伝導速度（Ｐｕｌｓｅ  Ｗａｖｅ  Ｖｅｌｏｃｉｔｙ，  ＰＷＶ）は、動脈血管の弾性に関わり、一般的に、血管の硬度が大きいほど脈波伝導速度も速く、従って、脈波伝導速度を測定することによって、動脈の弾性程度を評価する可能である。
【発明の概要】
【発明が解決しようとする課題】
【０００５】
本発明実施例が解決しようと技術課題は、先行技術における心血管疾患検測に関する技術問題について、非侵襲的脈波伝導パラメータの測定システム及び方法を提供する。
【０００６】
上記の技術問題を解決するために、一方、本発明は、１つの方法を提供し、当該方法は、１つ又は複数の処理装置によって、第１の光ファイバセンサから仰臥対象の第１の振動情報を取得するステップと、前記第１の光ファイバセンサは、前記仰臥対象の第４の胸椎体に対応して背部区域の下に放置されるように配置され、前記１つ又は複数の処理装置によって、第２の光ファイバセンサから前記仰臥対象の第２の振動情報を取得するステップと、前記第２の光ファイバセンサは、前記仰臥対象の第４の腰椎体に対応して腰部区域の下に放置されるように配置され、前記１つ又は複数の処理装置によって、前記第１の振動情報に基づいて第１の血流力学関連情報を生成するとともに、前記第２の振動情報に基づいて第２の血流力学関連情報を生成するステップと、前記１つ又は複数の処理装置によって、前記第１の血流力学関連情報に基づいて前記仰臥対象の大動脈弁開時間を確定するとともに、前記第２の血流力学関連情報に基づいて前記仰臥対象の脈波到達時間を確定するステップと、前記１つ又は複数の処理装置によって、前記大動脈弁開時間と前記脈波到達時間に基づいて前記仰臥対象の大動脈脈波伝導時間を確定するステップと、を含む。
【０００７】
好ましくは、前記第１の光ファイバセンサ又は前記第２の光ファイバセンサは、ほぼ１つの平面に位置するように配列された構造になった１つの光ファイバと、前記１つ又は複数の光ファイバの一端にカップリングされた光源と、前記１つの光ファイバの他端にカップリングされ、前記光ファイバを通過した光度の変化を感知するように配置される受信機と、開口を有するメッシュで構成された１つのメッシュ層とを含み、前記メッシュ層は、前記光ファイバの表面と当接されている。
【０００８】
好ましくは、前記１つ又は複数の処理装置によって、前記第１の振動情報に基づいて第１の血流力学関連情報を生成するとともに、前記第２の振動情報に基づいて第２の血流力学関連情報を生成するステップは、前記第１の振動情報と前記第２の振動情報に対して、それぞれフィルタリング・拡縮して前記第１の血流力学関連情報と第２の血流力学関連情報を生成するステップを更に含む。
【０００９】
好ましくは、前記１つ又は複数の処理装置によって、前記第１の血流力学関連情報に基づいて前記仰臥対象の大動脈弁開時間を確定するステップは、前記第１の血流力学関連情報を２階微分演算するステップと、２階微分演算した第１の血流力学関連情報の波形図を特徴検索して心拍周期内の最高ピークを確定するステップと、及び前記最高ピークによって前記仰臥対象の大動脈弁開時間を確定するステップと、を更に含む。
【００１０】
好ましくは、前記方法は、前記１つ又は複数の処理装置によって、前記第１の光ファイバセンサと前記第２の光ファイバセンサの体の身長方向に沿った距離を取得して前記仰臥対象の大動脈脈波伝導距離を生成するステップと、前記１つ又は複数の処理装置によって、前記大動脈脈波伝導距離と前記大動脈脈波伝導時間によって、大動脈脈波伝導速度を確定するステップと、を更に含む。
【００１１】
好ましくは、前記方法は、前記１つ又は複数の処理装置によって、前記大動脈脈波伝導時間と前記大動脈脈波伝導速度の内の少なくとも１つを１つ又は複数の出力装置に送信するステップを更に含む。
【００１２】
一方、本発明は、１つのシステムを提供し、当該システムは、仰臥対象の第４の胸椎体の付近区域に放置されるように配置され、前記仰臥対象の第１の振動情報を取得するための第１の光ファイバセンサと、前記仰臥対象の第４の腰椎体の付近区域に放置されるように配置され、前記仰臥対象の第２の振動情報を取得するための第２の光ファイバセンサと、１つ又は複数の処理装置と、１つ又は複数のコンピュータ読取可能な記憶媒体と、を含み、前記１つ又は複数のコンピュータ読取可能な記憶媒体に指令が記憶され、前記指令が１つ又は複数の処理装置で実行される場合に、以下の操作：前記第１の光ファイバセンサから仰臥対象の第１の振動情報を取得するステップと、前記第２の光ファイバセンサから前記仰臥対象の第２の振動情報を取得するステップと、前記第１の振動情報に基づいて第１の血流力学関連情報を生成するとともに、前記第２の振動情報に基づいて第２の血流力学関連情報を生成するステップと、前記第１の血流力学関連情報に基づいて前記仰臥対象の大動脈弁開時間を確定するとともに、前記第２の血流力学関連情報に基づいて前記仰臥対象の脈波到達時間を確定するステップと、前記大動脈弁開時間と前記脈波到達時間に基づいて前記仰臥対象の大動脈脈波伝導時間を確定するステップと、を実現する。
【００１３】
好ましくは、前記第１の光ファイバセンサ又は前記第２の光ファイバセンサは、ほぼ１つの平面に位置するように配列された構造になった１つの光ファイバと、前記１つ又は複数の光ファイバの一端にカップリングされた光源と、前記１つの光ファイバの他端にカップリングされ、前記光ファイバを通過した光度の変化を感知するように配置される受信機と、開口を有するメッシュで構成された１つのメッシュ層とを含み、前記メッシュ層は、前記光ファイバの表面と当接されている。
【００１４】
好ましくは、前記第１の振動情報に基づいて第１の血流力学関連情報を生成するとともに、前記第２の振動情報に基づいて第２の血流力学関連情報を生成するステップは、前記第１の振動情報と前記第２の振動情報に対して、それぞれフィルタリング・拡縮して前記第１の血流力学関連情報と第２の血流力学関連情報を生成するステップを更に含む。
【００１５】
好ましくは、前記第１の血流力学関連情報に基づいて前記仰臥対象の大動脈弁開時間を確定するステップは、前記第１の血流力学関連情報を２階微分演算するステップと、２階微分演算した第１の血流力学関連情報の波形図を特徴検索して心拍周期内の最高ピークを確定するステップと、前記最高ピークによって前記仰臥対象の大動脈弁開時間を確定するステップと、を更に含む。
【００１６】
好ましくは、前記１つ又は複数の処理装置は、以下の操作：前記第１の光ファイバセンサと前記第２の光ファイバセンサの体の身長方向に沿った距離を取得して前記仰臥対象の大動脈脈波伝導距離を生成するステップと、及び前記１つ又は複数の処理装置によって、前記大動脈脈波伝導距離と前記大動脈脈波伝導時間によって、大動脈脈波伝導速度を確定するステップと、を更に実行するように配置される。
【００１７】
好ましくは、前記１つ又は複数の処理装置は、以下の操作：前記１つ又は複数の処理装置によって、前記大動脈脈波伝導時間と前記大動脈脈波伝導速度の内の少なくとも１つを１つ又は複数の出力装置に送信するステップ、を更に実行するように配置される。
【００１８】
一方、本発明は、１つの装置を提供し、当該装置は、上カバーと下カバーを具備し、背部区域と腰部区域を具備し、仰臥対象を横たわるための本体と、前記本体の背部区域に放置されるように配置され、前記仰臥対象の第１の振動情報を取得するための第１の光ファイバセンサと、複数の光ファイバセンサを具備し、前記本体の腰部区域に放置されるように配置され、前記仰臥対象の第２の振動情報を取得するための第２の光ファイバセンサセットと、を含み、前記上カバーと下カバーは、前記第１の光ファイバセンサと前記第２の光ファイバセンサセットを内部に被覆する。
【００１９】
好ましくは、前記装置は、枕を更に含み、前記枕が前記上カバーに設けられ、前記仰臥対象の頸を当てることに用いられ、これにより前記仰臥対象が測量位置に位置することを確保する。
【００２０】
好ましくは、前記装置は、肩部ストッパーを更に含み、前記肩部ストッパーが前記上カバーに設けられ、前記仰臥対象の肩を当てることに用いられ、これにより前記仰臥対象が測量位置に位置することを確保する。
【００２１】
好ましくは、前記本体は、下肢区域を更に含み、前記装置は、脚部ストッパーを更に含み、前記脚部ストッパーが前記上カバーの下肢区域に設けられ、前記仰臥対象の脚部又は下腿を当てることに用いられ、これにより前記仰臥対象が測量位置に位置することを確保する。
【００２２】
好ましくは、前記本体の上カバーは、立体構造を採用することができ、人体輪郭凹み構造を含み、これにより前記仰臥対象が測量位置に位置することを確保する。
【００２３】
好ましくは、前記第２の光ファイバセンサセットの内の複数の光ファイバセンサが前記本体の縦軸に沿って配列されるように配置される。
【００２４】
好ましくは、前記光ファイバセンサは、ほぼ１つの平面に位置するように配列された構造になった１つの光ファイバと、 前記１つ又は複数の光ファイバの一端にカップリングされた光源と、前記１つの光ファイバの他端にカップリングされ、前記光ファイバを通過した光度の変化を感知するように配置される受信機と、開口を有するメッシュで構成された１つのメッシュ層とを含み、前記メッシュ層は、前記光ファイバの表面と当接されている。
【図面の簡単な説明】
【００２５】
本願実施例の技術方案をはっきりと説明するために、以下、実施例の説明に使用する必要な図面を簡単に紹介する。勿論、以下説明する図面は、本発明の幾つかの実施例だけであり、当業者について、創造的な労力を払うことなく、これらの図面によって、本発明を他の類似の状況も適用することができる。図中の同じ符号は、言語環境から明らかにして又は別の説明とする限りに、同じ構造及び動作を表している。
【図１】図１は、本願の幾つかの実施例による脈波伝導パラメータの測定システムの概略図である。
【図２】図２は、脈波の生成原理図である。
【図３】図３は、大動脈脈波伝導パラメータの測定原理図である。
【図４】図４は、本願の幾つかの実施例による計算装置の構成図である。
【図５】図５は、本願の幾つかの実施例によるセンサ装置の構成図である。
【図６】図６は、本願の幾つかの実施例によるセンサ装置の位置図である。
【図７】図７は、本願の幾つかの実施例による脈波伝導パラメータの測定方法のフローチャートである。
【図８】図８は、本願の幾つかの実施例による１つの対象の信号波形図である。
【図９】図９は、本願の幾つかの実施例によるセンサ装置の概略図である。
【図１０】図１０は、本願の幾つかの実施例による位置決め指示器の概略図である。
【図１１】図１１は、本願の幾つかの実施例による位置決め指示器の概略図である。
【発明を実施するための形態】
【００２６】
本願の説明書と請求書に示すように、文脈に例外の状況を提示する限りに、「１つ」、「一個」、「一種」及び／又は「当該」などの言葉は、特に単数ではなく、複数でもよい。一般的に、術語「含む」と「備える」は、明確に標識したステップと要素を含むことを提示するものだけであり、しかし、これらのステップと要素は、排他的な羅列を構成されなく、方法又は装置も、他のステップ又は要素を含むことが可能である。
【００２７】
図１は、本願の幾つかの実施例による脈波伝導パラメータの測定システム１００の概略図である。図１に示すように、脈波伝導パラメータの測定システム１００は、１つのセンサ装置１０１と、１つのネットワーク１０３と、１つのサーバ１０５と、１つの記憶装置１０７と、１つの出力装置１０９とを含むことが可能である。
【００２８】
センサ装置１０１は、対象１０２の振動情報を取得するように配置されることが可能である。幾つかの実施例において、センサ装置１０１は、振動敏感センサであってもよく、例えば、加速度センサ、速度センサ、変位センサ、圧力センサ、歪みセンサ、応力センサ（ｓｔｒｅｓｓ  ｓｅｎｓｏｒ）、又は、加速度、速度、変位又は圧力を基礎として物理量を等価変換するセンサ（例えば、静電荷敏感センサ、空気式微動センサ、レーダセンサなど）中の一種又は多種である。幾つかの実施例において、応力センサは、ファイバ応力センサであってもよい。幾つかの実施例において、センサ装置１０１は、温度敏感センサを含むこともでき、例えば、赤外線センサであり、対象の体温情報を取得するためである。センサ装置１０１は、対象１０２がいる医療ベッドや看護ベッドなどの各種のタイプのべッドに放置するように配置されることができる。対象１０２は、生命徴候情報を監視する生命体が可能である。幾つかの実施例において、対象１０２は、病院患者であってもよいし、高齢者や、被保護者や、他人などの被介護者であってもよい。センサ装置１０１は、取得された対象１０２の振動情報をネットワーク１０３で、サーバ１０５に伝送して後処理を行うことができる。幾つかの実施例において、センサ装置１０１が取得された振動情報は、処理された後に、対象の心拍数や、呼吸率や、体温などの生命徴候を算出することができる。幾つかの実施例において、センサ装置１０１が取得された振動情報は、処理された後に、対象の脈波伝導時間（Ｐｕｌｓｅ  Ｗａｖｅ  Ｔｒａｎｓｉｔ  Ｔｉｍｅ，  ＰＴＴ）や、脈波伝導速度ＰＷＶなどの脈波伝導パラメータを算出することができる。センサ装置１０１は、取得された対象１０２の振動情報を出力装置１０９に伝送して出力することもでき、例えば、ディスプレイで振動情報の波形図を表示する。センサ装置１０１は、取得された対象１０２の振動情報をネットワーク１０３で、記憶装置１０７に伝送して記憶することもでき、例えば、システム１００は、複数のセンサ装置を含むことができ、複数のセンサ装置が取得された複数の対象１０２の振動情報を記憶装置１０７に伝送して記憶することができ、顧客データの一部とする。
【００２９】
ネットワーク１０３は、情報の交換を実現することができる。幾つかの実施例において、脈波伝導パラメータの測定システム１００の構成部分（即ち、センサ装置１０１、ネットワーク１０３、サーバ１０５、記憶装置１０７、出力装置１０９）は、ネットワーク１０３を通じて、相互の情報の送受信を行うことが可能である。例えば、センサ装置１０１は、ネットワーク１０３を通じて、取得された対象１０２の生命徴候に関連する情報を記憶装置１０７に記憶することができる。幾つかの実施例において、ネットワーク１０３は、有線ネットワークや無線ネットワークなどの単一のネットワークであってもよいし、多種ネットワークの組み合わせであってもよい。ネットワーク１０３は、ＬＡＮ（ｌｏｃａｌ  ａｒｅａ  ｎｅｔｗｏｒｋ）や、ＷＡＮ（Ｗｉｄｅ  ａｒｅａ  ｎｅｔｗｏｒｋ）や、共用ネットワークや、プライベートネットワーク（ｐｒｉｖａｔｅ  ｎｅｔｗｏｒｋ）などを含むことができるが、これらに限定されない。ネットワーク１０３は、無線ＡＰ（Ａｃｃｅｓｓ  ｐｏｉｎｔ）や、有線ＡＰ（Ｗｉｒｅｄ  ａｃｃｅｓｓ  ｐｏｉｎｔ）や、基地局（ｂａｓｅ  ｓｔａｔｉｏｎ）などの多種のＮＡＰ（ｎｅｔｗｏｒｋ  ａｃｃｅｓｓ  ｐｏｉｎｔ）を含むことができ、上記のＡＰによって、脈波伝導パラメータの測定システム１００の他の構成部分をネットワーク１０３に接続させ、且つネットワークによって情報を伝送することができる。
【００３０】
サーバ１０５は、情報を処理するように配置される。例えば、サーバ１０５は、センサ装置１０１から対象１０２の振動情報を受信して、且つ振動情報から血流力学関連信号を抽出して、血流力学関連信号を更に処理する後に対象１０２の脈波伝導パラメータを取得することができる。幾つかの実施例において、サーバ１０５は、単一のサーバであってもよいし、サーバグループであってもよい。サーバグループは、クラスタ型（ｃｌｕｓｔｅｒ）であってもよいし、分散型であってもよい（即ち、サーバ１０５は、分散型システムができる）。幾つかの実施例において、サーバ１０５は、ローカル（ｌｏｃａｌ）であってもよいし、リモート（ｒｅｍｏｔｅ）であってもよい。例えば、サーバ１０５は、ネットワーク１０３を通じて、記憶装置１０７、センサ装置１０１、及び／又は出力装置１０９に記憶されたデータをアクセスすることができる。また、サーバ１０５は、センサ装置１０１、記憶装置１０７、及び／又は出力装置１０９と直接に接続してデータを記憶することができる。幾つかの実施例において、サーバ１０５は、クラウド（ｃｌｏｕｄ）に配置されることもでき、クラウドは、公有クラウドや、プライベートクラウドや、混合クラウドなどを含むことができるが、これらに限定されない。幾つかの実施例において、サーバ１０５は、図４に示すような計算装置４００に実施されることができる。
【００３１】
記憶装置１０７は、データと指令を記憶するように配置される。幾つかの実施例において、記憶装置１０７は、ＲＡＭや、ＲＯＭや、ＰＲＯＭなどを含むことができるが、これらに限定されない。記憶装置１０７は、電気的方式や、磁気的方式や、光学的方式などで情報を記憶する装置であってもよく、例えば、ハードディスク（ｈａｒｄ  ｄｉｓｋ）や、フロッビーディスク（ｆｌｏｐｐｙ  ｄｉｓｃ（登録商標））や、マグネチックコアストレージユニット（ｍａｇｎｅｔｉｃ  ｃｏｒｅ  ｓｔｏｒａｇｅ  ｕｎｉｔ）や、ＣＤや、ＤＶＤなどである。上記の記憶装置は、一部の例を挙げるだけであり、記憶装置１０７が使用された記憶ディバイスは、これらに限定されない。記憶装置１０７は、センサ装置１０１によって取得された対象１０２の振動情報を記憶することができ、サーバ１０５によって振動情報を処理したデータを記憶することもでき、例えば、対象１０２の生命徴候情報（呼吸率、心拍数）である。幾つかの実施例において、記憶装置１０７は、サーバ１０５の一部とすることが可能である。
【００３２】
出力装置１０９は、データを出力するように配置される。幾つかの実施例において、出力装置１０９は、サーバ１０５で処理されて生成する生命徴候情報を出力することができ、出力方式は、図形表示や、ディジタル表示や、音声放送や、点字表示などの一種又は多種を含むことができるが、これらに限定されない。出力装置１０９は、ディスプレイや、携帯電話や、タブレットＰＣや、投影機や、ウェアラブルデバイス（腕時計、イヤホン、眼鏡など）や、点字ディスプレイなどの一種又は多種であってもよい。幾つかの実施例において、出力装置１０９は、対象１０２の生命徴候情報（呼吸率、心拍数など）をリアルタイムに表示することができる。他の実施例において、出力装置１０９は、報告を非リアルタイムに表示することができ、当該報告は、対象１０２が所定時間内の測定結果であり、例えば、当該測定結果は、ユーザが入眠時間帯内の毎分心拍数監視結果と毎分呼吸率監視結果である。幾つかの実施例において、出力装置１０９は、早期警報提示を出力することもでき、当該提示方式は、可聴警報や、振動警報や、画面表示警報などの方式を含むことができるが、これらに限定されない。例えば、対象１０２は、被介護の患者が可能であり、出力装置１０９は、ナースステーションのディスプレイであってもよい。出力装置１０９が表示される結果は、リアルタイムの心拍数やリアルタイムの呼吸率などのことが可能である。心拍数又は呼吸率が異常を発生する場合に、出力装置１０９は、警報音声を放送して医療従事者を提示することができ、医療従事者が患者を早速に救急するなどのことを行うことが可能である。他の実施例において、出力装置１０９は、医者が携帯する通信デバイス（例えば、携帯電話）であってもよく、対象１０２の生命徴候が異常の場合に、１つ又は複数の医者が携帯する１つ又は複数の出力装置１０９が早期警報情報を受信することができ、早期警報情報のプッシュ方式は、端末装置と対象１０２との間の距離の遠近によって、プッシュすることが可能である。
【００３３】
本願のシステム及び方法の応用シーンは、本願の幾つかの例又は実施例だけであり、当業者と言えば、創造的な労力を払うことなく、これらの図面によって、本発明を他の類似の状況も適用することができることを理解されたい。脈波伝導パラメータの測定システム１００は、家庭シーンに使用でき、センサ装置１０１は、普通の家庭ベッドに設置されることができ、対象１０２（例えば、年長者、心血管疾患を有する人、術後回復期の人）が夜に睡眠状態に当たる時に、センサ装置１０１は、連続的、又は所定的、又は需要的な方式で対象の振動情報を取得することができ、そして、ネットワーク１０３を通じて、対象の振動情報（リアタイムに送信してもよいし、所定の時刻例えば翌朝に前の晩の全部のデータを送信してもよい）をクラウドサーバ１０５に送信して処理され、クラウドサーバ１０５は、処理された情報（例えば、毎分心拍数、毎分呼吸率、大動脈ＰＷＶ）を端末装置１０９に送信し、端末装置１０９は、対象１０２の家庭医者のコンピュータが可能であり、家庭医者は、対象１０２の処理された情報によって、対象１０２の身体状況や回復状況などのことを評価できる。
【００３４】
注意すべき点は、上記の説明は、本願に記載された具体的な実施例にすぎず、唯一の実施例と見るべきではない。明らかに、当業者であれば、本発明の内容及び原理を理解した後に、本発明の原理及び構造を逸脱することなく、様々な形式的・詳細的な修正及び変形を行うことができるが、これらの修正及び変形は、本発明の特許請求の範囲内に属するべきである。幾つかの実施例において、サーバ１０５、記憶装置１０７、及び出力装置１０９は、１つのディバイスにして且つそれぞれの機能を実現することができる。例えば、脈波伝導パラメータの測定システム１００は、１つのセンサ装置と、１つのコンピュータとを含むことが可能である。なお、センサ装置は、ケーブルを通じて直接にコンピュータに接続されてもよいし、ネットワークを通じてコンピュータに接続されてもよい。当該コンピュータは、上記のサーバ１０５、記憶装置１０７、及び出力装置１０９のデータの処理や、記憶や、表示などの全部の機能を実現できる。幾つかの実施例において、脈波伝導パラメータの測定システム１００は、１つのセンサ装置と、１つの集積回路とを含むことが可能である。当該集積回路は、センサ装置と一体化（例えば、１つのマットに集成される）になって、当該集積回路は、１つのディスプレイに接続され、上記のサーバ１０５と記憶装置１０７の機能を実現し、ディスプレイは、出力装置１０９とし、データの処理や、記憶や、及び表示などの機能を実現する。
【００３５】
図２は、脈波の生成原理図である。図２に示すように、左心室２０１は、大動脈弁２０５を通じて大動脈と連通する。左心室２０１が収縮して所定の圧力値に到達した後に大動脈弁（Ａｏｒｔｉｃ  Ｖａｌｖｅ  Ｏｐｅｎｉｎｇ，ＡＶＯ）２０５が開け、血液が左心室２０１から大動脈２０３に注入し、血管が弾性配管のため、血液が大動脈に注入する時に、大動脈壁を拡張させ、これらの拍動が大動脈壁に沿って伝導して脈波２０７を形成する。血液動力学（Ｈｅｍｏｄｙｎａｍｉｃｓ）が研究するものは、血液が心血管系内の流動の力学であり、血液と血管との変形及び流動を研究対象とする。脈波の生成と伝導は、血液流動及血管変形と関し、血流力学の研究対象に属する。脈波２０７が大動脈に沿っての伝導速度及び大動脈２０３の血管弾性と関し、従って、脈波の伝導速度ＰＷＶによって、血管の硬直程度を評価することができる。
【００３６】
図３は、大動脈脈波伝導パラメータの測定原理図である。図３に示すように、大動脈は、上行大動脈、大動脈弓、及び下行大動脈に分けることができ、上行大動脈は、左心室大動脈口から右前上に斜行して大動脈弓に接続し、大動脈弓から腕頭動脈、左総頚動脈、及び左鎖骨下動脈が出て、腕頭動脈が右胸鎖関節の後方で右総頚動脈と右鎖骨下動脈に分ける。大動脈弓は、上行大動脈に接続し、胸骨柄の後方で弓状にして左後方へ曲がり、左後方に弓状的に走行して第４の胸椎体の下縁に移行して下行大動脈とする。下行大動脈は、大動脈の最も長い部分であり、第４の腰椎体で左腸骨大動脈と右腸骨大動脈に分ける。だから、大動脈分節の脈波は、大動脈起点３０１から、大動脈に沿って大動脈と左右腸骨大動脈の分岐点３０３に伝導し、これにより、大動脈起点３０１、大動脈と左右腸骨大動脈の分岐点３０３との間の大動脈経路に沿っての距離を大動脈脈波伝導距離とし、脈波が点３０１から点３０３に伝導する時間を大動脈脈波伝導時間とし、大動脈脈波伝導距離と大動脈脈波伝導時間との比率を大動脈脈波伝導速度（ａｏｒｔｉｃ  ＰＷＶ，  ａＰＷＶ）とする。
【００３７】
図４は、本願の幾つかの実施例による計算装置の構成図である。幾つかの実施例において、図１のサーバ１０５、記憶装置１０７、及び／又は出力装置１０９は、計算装置４００に実施されることができる。例えば、サーバ１０５は、計算装置４００に実施され且つ本願に記載されたサーバ１０５の機能を実行することに配置できる。幾つかの実施例において、計算装置４００は、専用コンピュータであってもよい。説明の都合の上、図１において、１つのサーバを説明するだけであり、当業者が理解できれば、脈波伝導パラメータの測定に係る計算機能は、複数の類似機能を具備する計算装置にも実施されており、演算負荷を分散させることができる。
【００３８】
計算装置４００は、１つの通信ポート４０１、１つのプロセッサ（Ｃｅｎｔｒａｌ  Ｐｒｏｃｅｓｓｉｎｇ  Ｕｎｉｔ，ＣＰＵ）４０３、１つの記憶装置４０５、及び１つのバス４０７を含むことができる。通信ポート４０１は、ネットワークを通じて、他のディバイスとデータを交換するように配置される。プロセッサ４０３は、ＲＯＭや、ＲＡＭや、Ｄｉｓｋ等の各種形式の記憶装置であってもよい。バス４０７は、計算装置４００内部の部品間のデータ通信を行うように構成される。幾つかの実施例において、計算装置４００は、入力出力ポート４０９を含むこともでき、入力出力ポート４０９は、データの入力と出力を支持するように配置される。例えば、他人は、入力装置（例えば、キーボード）を利用して、入力出力ポート４０９を通じてデータを計算装置４００に入力することができる。計算装置４００は、入力出力ポート４０９を通じてデータをディスプレイなどの出力装置に出力することもできる。
【００３９】
説明の都合上、ここで、１つのプロセッサ４０３について説明するだけであり、理解できれば、計算装置４００は、複数のプロセッサーを含むことができ、１つのプロセッサーで実行された操作又は方法は、複数のプロセッサーで連携実行され又は分別に実行されることができる点を理解されたい。例えば、本願に記載された１つのプロセッサ４０３は、ステップＡとステップＢを実行することができ、理解できれば、ステップＡとステップＢが複数のプロセッサーで連携実行され又は分別に実行されることができ、例えば、第１のプロセッサーでステップＡを実行し且つ第２のプロセッサーでステップＢを実行し、又は第１のプロセッサーと第２のプロセッサーでステップＡとステップＢを連携実行する。
【００４０】
図５は、本願の幾つかの実施例によるセンサ装置の構成図である。図５に示すように、光ファイバセンサ装置５００は、歪センサ（ｓｔｒａｉｎ  ｓｅｎｓｏｒ）であり、外力が光ファイバセンサ装置５００に加える場合に、例えば、光ファイバセンサ装置５００を横になる人体の下に放置される場合に、対象が平気状態になる時に、人体の呼吸や心拍などによって人体の身体振動を生成することを引き起こし、人体の身体振動が光ファイバ５０１の曲げを引き起こすことができ、光ファイバの曲げは、光ファイバを通過する光のパラメータを変化させ、例えば、光度を変化させる。光度の変化は、処理した後に人体の身体振動を表すことができる。
【００４１】
光ファイバセンサ装置５００は、１つの光ファイバ５０１、１つのメッシュ層５０３、１つの上カバー５０７、及び１つの下カバー５０５を含むことができる。なお、光ファイバ５０１の一端は、光源５０９と電気的に接続され、光源５０９は、ＬＥＤ光源であってもよく、光源５０９は、光源駆動回路５１１と電気的に接続され、光源駆動回路５１１は、光源の開閉と準位を制御するように配置される。光ファイバ５０１の他端は、受信機５１３と電気的に接続され、受信機５１３は、光ファイバ５０１を通過する光信号を受信するように配置され、受信機５１３は、増幅器５１５と電気的に接続され、増幅器５１５は、ＡＤ変換機５１７と電気的に接続され、ＡＤ変換機５１７は、受信した光信号をＡＤ変換してディジタル信号に変換することができる。光源駆動回路５１１とＡＤ変換機５１７は、制御処理部５１９と電気的に接続される。制御処理部５１９は、信号制御と信号処理を行うように配置され、例えば、制御処理部５１９は、光源駆動回路５１１を制御することによって、光源５０９の発光を駆動することができ、制御処理部５１９は、ＡＤ変換機５１７からのデータを受信し、データを処理する後にデータが各種の無線又は有線ネットワークのデータ伝送標準を満足させ、無線又は有線ネットワークを通じて、他の装置に伝送することもでき、例えば、図１のサーバ１０５、記憶装置１０７、及び／又は出力装置１０９である。制御処理部５１９は、ＡＤ変換機５１７の抽出率を制御して異なる要求によって対応の抽出率を有させることもできる。幾つかの実施例において、光源駆動回路５１１、受信機５１３、増幅器５１５、ＡＤ変換機５１７、及び制御処理部５１９は、１つのモジュールに合併させて全部の機能を実現することもできる。
【００４２】
光ファイバ５０１は、マルチモードファイバであってもよいし、シングルモードファイバであってもよい。光ファイバ５０１の並べ方式は、異なる形状が可能であり、例えば、蛇形状構造であり、図５の５０１に示すような形状である。幾つかの実施例において、光ファイバ５０１の並べ方式は、Ｕ形構造もできる。幾つかの実施例において、光ファイバ５０１の並べ方式は、環状構造も可能であり、５２１に示すようであり、当該環状構造は、１つの光ファイバが排列された基本的に１つの平面に位置する複数の大小相同の環によって形成され、なお、環状構造内の毎環は、隣接した環と部分的に重なって且つ横に移行する。毎光ファイバ環は、基本的に円形縁を有する平行四辺形の構造（例えば、長方形や正方形など）が可能であり、急激な曲げはない。幾つかの実施例において、環状光ファイバ構造は、円形構造又は楕円形構造を含むことができる。幾つかの実施例において、当該環状構造は、急激に曲げがなく不規則な形状になることもできる。
【００４３】
メッシュ層５０３は、貫通穴を有する繰り返しパターンの何れかの適合な材料で構成され、幾つかの実施例において、メッシュは、交織な繊維で構成され、例えば、重合繊維（ｐｏｌｙｍｅｒ  ｆｉｂｅｒ）、複合織物繊維、天然植物繊維又は他の繊維である。光ファイバセンサ装置５００は、対象身体の下に放置され、対象が光ファイバセンサ装置５００に外力を加えて、メッシュ層５０３が光ファイバのある作用点にもともと加わる外力を分散させ、これにより当該作用点の周囲の光ファイバに分布することができる。光ファイバ５０１が微小な曲げを発生することによって、光ファイバ５０１で伝送する光のパラメータ（例えば、光強度）を変化させ、受信機５１３は、変化した光を受信し、制御処理部５１９によって光変化量の処理及び決定を行うことができる。光ファイバ５０１が外力によって形成する曲がり量は、外力、フャイバ直径、メッシュ繊維の直径、メッシュ開口寸法に依存し、フャイバ直径、メッシュ繊維の直径、メッシュ開口寸法の異なるパラメータの組み合わせを設定することによって、外力が加える場合に光ファイバの曲がり量を変化させ、光ファイバセンサ装置５００が外力に対して異なる感度を持たせることができる。
【００４４】
上カバー５０７と下カバー５０５は、シリカゲルを採用することができ、光ファイバ５０１とメッシュ層５０３の周りに配置され、光ファイバ５０１を保護することができ、同時に外力を分散して外力が作用点に沿って分散させることもできる。上カバー５０７、光ファイバ５０１、メッシュ層５０３、及び下カバー５０５は、貼り付けにより一体になることができ、例えば、シリカゲル接着剤を利用して一体に接着されており、光ファイバセンサ装置５００を一枚のセンサパッドに形成させる。センサパッドの幅及び／又は長さは、光ファイバの異なる並べ方式によって変化することができ、環状構造の配列を採用する場合に、センサパッドの幅は、６ｃｍ又は６ｃｍ以上の適合な幅とすることができ、例えば、８ｃｍ、１０ｃｍ、１３ｃｍ、又は１５ｃｍである。センサパッドの長さは、異なる使用シーンによって変化することができ、例えば、体が正常範囲にいる人達に対して、センサパッドの長さは、３０ｃｍから８０ｃｍまでとすることができ、例えば、５０ｃｍであり、また、他の適合な寸法こともでき、４５ｃｍの長さは、大多数の人に適用できる。幾つかの実施例において、センサパッドの厚さは、１ｍｍから５０ｍｍまでとすることができ、好ましくは、厚さは、３ｍｍである。幾つかの実施例において、センサパッドの幅と長さは、他の寸法であってもよく、異なる試験対象によって異なる寸法のセンサを選択することができ、例えば、試験対象は、年齢層、身長、体重によってグループを区画し、異なるグループが異なる寸法のセンサに対応する。幾つかの実施例において、光ファイバは、Ｕ形構造を採用する場合に、センサパッドの幅は、６ｃｍ以下とすることもでき、例えば、１ｃｍ、２ｃｍ、又は４ｃｍである。
【００４５】
幾つかの実施例において、光ファイバセンサ装置５００は、１つの外殻（図５に示さず）を含むことができ、外殻は、上カバー５０７、メッシュ層５０３、光ファイバ５０１、及び下カバー５０５を包み、外殻は、防水防油の材質を採用することができ、例えば、硬質プラスチックを採用する。幾つかの実施例において、光ファイバセンサ装置５００は、１つの支持部材（図５に示さず）を含むことができ、支持部材は、剛性構造が可能であり、例えば、ハードボード（ｈａｒｄｂｏａｒｄ）や、硬質プラスチックプレート（ｐｌａｓｔｉｃ  ｐｌａｔｅ）や、木板などであり、支持部材は、光ファイバ５０１と下カバー５０５との間に放置されることができ、光ファイバ５０１に支持を与え、外力が光ファイバ５０１に加えられる場合に、支持部材は、光ファイバ層の変形をより速く戻させることができ、戻す時間がより短いので、光ファイバ層は、より高い周波数の信号を捉えることができる。
【００４６】
図６は、本願の幾つかの実施例によるセンサ装置の位置図である。図６に示すように、センサ装置６００は、光ファイバセンサ６０１と光ファイバセンサ６０３を含むことができるが、これらに限定されない。幾つかの実施例において、光ファイバセンサ６０１と光ファイバセンサ６０３は、光ファイバセンサ装置５００の構造を用いることができる。
【００４７】
本願において、人体の各部位の位置、相互関係及びセンサ装置の放置位置と人体の各部位の位置との関係をはっきりに説明するために、ここで人体解剖学座標系を導入し、人体標準体位は、直立位と仰臥位を区画し、例えば、仰臥位を例として、図６に示すように、Ｘ軸は、正中横軸であり、Ｙ軸は、正中矢状軸であり、Ｚ軸は、正中垂直軸であり、原点Ｏは、趾骨が上縁と結合する中点に位置し、ＹＺ平面は、正中矢状面で、人体を左右両部分に区画し、ＸＺ平面は、正中矢状面で、人体を前後両部分に区画し、ＸＹ面は、原点横断面で、人体を上下両部分に区画する。本願に説明した人体の前部、後部、上部、下部、左部及び右部は、解剖学座標系を基準として説明する。
【００４８】
幾つかの実施例において、光ファイバセンサ６０１は、対象１０２の大動脈の起点に対応する身体後部区域の下に放置されることができ、約人体の第４の胸椎体に対応する背部体表区域の下に放置される。光ファイバセンサ６０３は、対象１０２の大動脈と左右腸骨大動脈の分岐点に対応する身体後部区域の下に放置されることができ、約人体の第４の腰椎体に対応する背部体表区域の下に放置される。異なる試験対象及び／又は異なる応用シーンに基づいて、光ファイバセンサ６０１と光ファイバセンサ６０３の長さと幅は、実際の需要に応じて選択することができ、例えば、長さ（Ｘ軸に沿って）は、３０ｃｍから８０ｃｍまでとすることができ、幅（Ｙ軸に沿って）は、１ｃｍから２０ｃｍまでとすることができ、当然なら、他の適合な寸法であってもよい。幾つかの実施例において、光ファイバセンサ６０１と光ファイバセンサ６０３は、２つの独立なセンサであり、両者の放置位置は、それぞれ人工で調節されることができ、例えば、異なる対象の異なる身長が大動脈分節の異なる長さを招くため、光ファイバセンサ６０１と光ファイバセンサ６０３との離間距離は、対象の異なる身長によって調節されることができる。幾つかの実施例において、センサ装置６００は、１つの本体を含むことができ、当該本体は、対象に横たわりためであり、例えば、本体は、マットが可能であり、マットは、上カバーと下カバーを含み、上カバーと下カバーは、貼り合わせて一体になって、マットは、光ファイバセンサ６０１と光ファイバセンサ６０３を上カバーと下カバーにより形成された空間の内部に被覆し且つその位置を固定することができ、なお、光ファイバセンサ６０１と光ファイバセンサ６０３との間の間隔は、実際の需要に応じて設定することができ、例えば、２０ｃｍから８０ｃｍまでとすることができ、当然なら、他の適合な距離であってもよい。センサ装置６００の形状と大小は、実際の需要に応じて選択することができ、例えば、センサ装置６００は、四辺形であってもよいし、円形又は他の適合な形状であってもよい。センサ装置６００は、通常の人達の身長により異なる寸法を設置することができ、例えば、１５５ｃｍから１６０ｃｍまでにかけての人達に適合する寸法は、４０ｃｍであり、Ｓ号に設置し、１６１ｃｍから１７０ｃｍまでにかけての人達に適合する寸法は、Ｓ号の上に、予定の距離を増加することができ、例えば、３ｃｍである。幾つかの実施例において、光ファイバセンサ６０１と光ファイバセンサ６０３は、マットの内部に被覆され、何れかの光ファイバセンサの位置は、固定することができ（例えば、光ファイバセンサ６０１を固定する）、マットの内部に１つの可動空間を設けることができ、他の光ファイバセンサ（光ファイバセンサ６０３）の位置を調整させることができる。例えば、マットの内部に１つのスライディング軌道が設けられ、光ファイバセンサ６０３を軌道に設けて、マットの外部に１つの制御装置が設けられて作業員が当該制御装置によって光ファイバセンサ６０３の移動を制御することができ、例えば、制御装置は、ハンドルであり、作業員は、光ファイバセンサ６０３の移動を人工で制御することができ、また、制御装置は、スイッチであり、制御装置は、開状態にする場合に、光ファイバセンサ６０３は、あらかじめ定められた速度により光ファイバセンサ６０１に対して接近する又は離隔する方向へ自動的に移動し、制御装置は、閉状態にする場合に、光ファイバセンサ６０３がスリープ状態になる。なお、マットの外部に目盛りが設けられることもでき、例えば、スライディング軌道に沿って設けられて、作業員が直接に光ファイバセンサ６０１と光ファイバセンサ６０３との間の間隔距離を読み取らせることができる。
【００４９】
本願の装置、システム及び方法の応用シーンは、本願の幾つかの例示又は実施例だけであり、当業者について、創造的な労力を払うことなく、これらの図面によって、本願を他の類似のシーンに適用することもできることを理解されたい。例えば、センサ装置１０１は、光ファイバセンサ装置５００及びセンサ装置６００の形態に限定されることなく、他のシーンに適用することができる。
【００５０】
図７は、本願の幾つかの実施例による脈波伝導パラメータの測定方法のフローチャートである。幾つかの実施例において、方法７００は、図１に示すような脈波伝導パラメータの測定システムで実施されることができる。例えば、方法７００は、記憶装置１０７に記憶されて命令セットとしてサーバ１０５によって実行されることができ、サーバ１０５は、計算装置４００に実施されることができる。
【００５１】
ステップ７１１において、プロセッサ４０３は、第１の光ファイバセンサから仰臥対象の第１の振動情報を取得することができ、前記第１の光ファイバセンサは、前記仰臥対象の第４の胸椎体に対応して背部区域の下に放置されることに配置される。幾つかの実施例において、仰臥対象は、病院患者や、被介護者などとすることができ、仰臥姿勢としてセンサ装置６００に寝る。第１の光ファイバセンサは、センサ装置６００の光ファイバセンサ６０１が可能であり、光ファイバセンサ６０１は、仰臥対象の大動脈起点に対応して背部区域の下に放置され、ほぼ、第４の胸椎体に対応して背部区域の下に放置される。仰臥対象の第１の振動情報は、呼吸により引き起こした人体振動情報、心臓収縮・拡張により引き起こした人体振動情報、血管変形により引き起こした人体振動情報、及び人体の体動情報中の一種又は多種を含むことができる。心臓収縮・拡張により引き起こした人体振動情報は、心臓収縮・拡張自体により引き起こした人体振動情報であってもよいし、心臓収縮・拡張による血液流動により引き起こした人体振動であってもよく、例えば、心臓駆血による血液が大動脈弓を衝撃することにより引き起こした人体振動である。血管変形により引き起こした人体振動情報は、心臓駆血による大動脈壁が拡張することにより形成された脈波ができ、脈波が血管に沿って伝導するにより引き起こした人体振動である。人体の体動情報は、屈腿や、脚上げや、寝返りや、ジッターなどを含むことができる。具体的に、人体が呼吸する時に、体全体、特別に胸腔・腹腔を主とする体部分を律動に振動することを引き起こし、人体が心臓収縮・拡張する時に、体全体、特別に心臓周りの体を振動することを引き起こし、左心室が大動脈に駆血する瞬間に、血液は、大動脈弓を衝撃し、心臓自体及びその連結された大血管部分は、１つの全体として一連の動きを起こし、心臓から遠いほど体部分の振動が弱く、脈波が血管に沿って伝導することにより血管が所在する体部分の振動を引き起こし、血管が細いほど、心臓から遠いほど、体の振動が弱い。従って、センサが人体の異なる位置の下に放置される場合に、センサが取得した振動情報は、その位置で検出した上記の人体振動情報であり、位置が異なる場合に、取得した人体振動情報も異なるである。大動脈は、人体の最も太い動脈であり、左心室から、胸腔・腹腔区域に位置するので、光ファイバセンサ６０１が対象の第４の胸椎体に対応して背部区域の下に放置される場合に、心臓の近くに位置されることにより、上記幾つかの人体振動情報は、全体又は部分的に取得されて第１の振動情報を生成することができる。図８に示すように、曲線８２１は、本願の１つの実施例におけるある対象の第４の胸椎体に対応して背部区域の下に放置された１つの光ファイバセンサ６０１によって取得したある対象の第１の振動情報の波形図であり、なお、横軸は、時間を表し、縦軸は、規格化処理した対象の第１の振動情報、無次元を表す。
【００５２】
ステップ７１３において、プロセッサ４０３は、第２の光ファイバセンサから前記仰臥対象の第２の振動情報を取得することができ、前記第２の光ファイバセンサは、前記仰臥対象の第４の腰椎体に対応して腰部区域の下に放置されることに配置される。幾つかの実施例において、第２の光ファイバセンサは、センサ装置６００の光ファイバセンサ６０３が可能であり、光ファイバセンサ６０３は、仰臥対象の下行大動脈と左右腸骨大動脈の分岐点に対応して腰部区域の下に放置され、約第４の腰椎体に対応して腰部区域の下に放置される。光ファイバセンサ６０３が対象の大動脈の末端に位置しており、腹腔内に含まれているため、取得された第２の振動情報は、呼吸により引き起こした人体振動、心臓収縮・拡張により引き起こした人体振動、脈波が血管に沿って伝導により引き起こした人体振動を含む。図８に示すように、曲線８２３は、本願の１つの実施例におけるある対象の第４の腰椎体に対応して腰部区域の下に放置された１つの光ファイバセンサ６０３によって取得したある対象の第２３の振動情報の波形図であり、なお、横軸は、時間を表し、縦軸は、規格化処理した対象の第２２の振動情報、無次元を表す。
【００５３】
ステップ７１５において、プロセッサ４０３は、前記第１の振動情報に基づいて第１の血流力学関連情報を生成し、且つ前記第２の振動情報に基づいて第２の血流力学関連情報を生成することができる。血液動力学（Ｈｅｍｏｄｙｎａｍｉｃｓ）が研究するものは、血液が心血管系内の流動の力学であり、血液と血管との変形及び流動を研究対象とする。本願に掲載された「血流力学関連情報」は、血流力学に関連する如何なる情報であり、血液の生成と関連する情報（例えば、心臓収縮・拡張により駆血）、血液の流れと関連する情報（例えば、心拍出量ＣＯ（ｃａｒｄｉａｃ  ｏｕｔｐｕｔ）、左心室が駆血して大動脈弓を衝撃する）、血液圧力と関連する情報（例えば、動脈最高血圧（ｓｙｓｔｏｌｉｃ  ｐｒｅｓｓｕｒｅ）、最低血圧（ｄｉａｓｔｏｌｉｃ  ｐｒｅｓｓｕｒｅ）、平均動脈圧）、血管と関連する情報（例えば、血管弾性）中の一種又は多種を含むことができるが、これらに限定されない。脈波伝導パラメータは、例えば、脈波伝導速度は、血管弾性と関わるだけでなく、心臓収縮・拡張と、左心室が駆血による大動脈弓への衝撃と関連し、これにより脈波伝導パラメータの測定は、血液力学関連情報の取得に関する。幾つかの関連文献において、心弾動（Ｂａｌｌｉｓｔｏｃａｒｄｉｏｇｒａｍ，ＢＣＧ）信号で心臓の拍動によって引き起こした人体の一連の周期性運動を表徴することを有し、本願に掲載された振動敏感センサが取得された人体振動情報において、心臓収縮・拡張により引き起こした人体振動は、ＢＣＧ信号に表すこともできる。本願に記載された血流力学関連情報は、ＢＣＧ信号を含む。幾つかの実施例において、ステップ７１１における光ファイバセンサ６０１が取得された第１の振動情報について、４０３が生成する第１の血流力学関連情報は、左心室駆血時に血液が大動脈弓を衝撃することによって引き起こした振動と、血管変形によって引き起こした振動（即ち、脈波が血管に沿って伝導することによって引き起こした振動）を含むことができる。ステップ７１３における光ファイバセンサ６０３が取得された第２の振動情報について、プロセッサ４０３が生成する第２の血流力学関連情報は、脈波が血管に沿って伝導することによって引き起こした振動を含むことができる。図８に示すように、曲線８２５は、プロセッサ４０３が曲線８２１に示すような第１の振動情報によって生成された第１の血流力学関連情報の時間帯波形図であり、曲線８２７は、プロセッサ４０３が曲線８２３に示すような第２の振動情報によって生成された第２の血流力学関連情報の時間帯波形図であり、横軸は、時間を表す。
【００５４】
幾つかの実施例において、プロセッサ４０３は、取得された第１の振動情報と第２の振動情報を一連の処理を行って、第１の血流力学関連情報と第１の血流力学関連情報を生成することができる。第１の振動情報及び／又は第２の振動情報は、多種の子振動情報（呼吸により引き起こした振動、心臓収縮・拡張により引き起こした振動、血管変形により引き起こした振動）を含み、プロセッサ４０３は、異なる子振動情報に対して異なる周波帯のフィルタ処理を行うことができる。例えば、プロセッサ４０３は、呼吸により引き起こした振動のフィルタ周波帯を１Ｈｚ以下に設置することができ、プロセッサ４０３が採用されたフィルタ方法は、ローパスフィルタ、帯域フィルタ、ＩＩＲ（Ｉｎｆｉｎｉｔｅ  Ｉｍｐｕｌｓｅ  Ｒｅｓｐｏｎｓｅ）フィルタ、ＦＩＲ（Ｆｉｎｉｔｅ  Ｉｍｐｕｌｓｅ  Ｒｅｓｐｏｎｓｅ）フィルタ、ウェーブレット（ｗａｖｅｌｅｔ）フィルタ、零相双方向フィルタ、多項式当て嵌め平滑フィルタ中の一種又は多種を含むことができるが、これらに限定されなく、第１の振動情報及び／又は第２の振動情報に対して少なくとも１つのフィルタ処理を行うことができる。仮に振動情報に周波数干渉信号（ｐｏｗｅｒ  ｆｒｅｑｕｅｎｃｙ  ｓｉｇｎａｌ）が携帯されば、周波数フィルタを設計して周波数干渉信号をフィルタリングすることができる。プロセッサ４０３は、時間帯又は周波数領域に振動情報をフィルタリングすることができる。プロセッサ４０３は、情報動態範囲によって、フィルタリングしてノイズを除去した後の第１又は第２の振動情報を拡縮しており、第１又は第２の血流力学関連情報を取得することもできる。
【００５５】
ステップ７１７において、プロセッサ４０３は、前記第１の血流力学関連情報に基づいて前記仰臥対象の大動脈弁開時間を確定するとともに、前記第２の血流力学関連情報に基づいて前記仰臥対象の脈波到達時間を確定することができる。第１の血流力学関連情報は、左心室駆血時に血液が大動脈弓を衝撃することによって引き起こした振動と、脈波が血管に沿って伝導することによって引き起こした振動を含むことができる。心拍周期において、大動脈弁が開く、左心室が駆血し、血液が大動脈に進入する時は、脈波の生成時間点を認め、この時に、左心室が駆血する血液は、大動脈弓を衝撃して、心臓自体と、その連続した大血管の部分を一体になる一連の運動を引き起こしており、体運動を引き起こして変位を生成する。心臓が周期性に収縮・拡張するため、体変位も周期性な変化であり、このような振動情報は、体の骨格や、筋肉などによって伝導することができ、仰臥対象の第４の胸椎体に対応して背部区域の下に放置された第１の光ファイバセンサは、このような振動情報を検出することができる。大動脈弁が開いたイベントとセンサが対応して体振動情報検出したイベントとの間の時間遅延は通常に小さいので、約１０ｍｓ以内であり、当該時間遅延は、後続の脈波伝導パラメータの測定において、無視することを選択でき、即ち、センサで検出された大動脈弁が開くによって引き起こした体振動情報の時間を大動脈弁開時間とし、実測された大動脈弁開時間に補正係数を与えて補正することも選択できる。脈波が血管に沿って伝導し、振動も血管に沿って伝導し、体の振動を引き起こし、従って、脈波が伝導して血管のある位置に到達する後に、当該血管が所在する体位置の振動敏感センサは、振動情報を検出することができ、仰臥対象の第４の腰椎体に対応して腰部区域の下に放置された第２の光ファイバセンサは、脈波が大動脈分節の末端（下行大動脈と左右腸骨大動脈の分岐点）に伝導する振動情報を取得することができる。同様に、脈波到達時間と第２の光ファイバが検出された対応して体振動情報との間の遅延時間は、より小さく、当該時間遅延は、後続の脈波伝導パラメータの測定において、無視することを選択でき、即ち、センサで検出された脈波が大動脈分節の末端に到達することによって引き起こした体振動情報の時間を脈波到達時間とし、実測された脈波到達時間に補正係数を与えて補正することも選択できる。
【００５６】
幾つかの実施例において、プロセッサ４０３は、以下の操作を実行して、前記第１の血流力学関連情報に基づいて前記仰臥対象の大動脈弁開時間を確定することができる。図８に示すように、曲線８２５は、第１の血流力学関連情報の時間帯波形図であり、プロセッサ４０３は、曲線８２５を２階微分演算して、曲線８２９を取得することができる。曲線８２９の波形図に対して、プロセッサ４０３は、特徴検索することによって、大動脈弁の開特徴点を確定することができる。特徴検索における特徴は、ピークや、谷や、幅や、振幅や、極大値や、極小値や、最大値や、最小値などを含むことできるが、これらに限定されない。幾つかの実施例において、曲線８２９に対しての特徴検索は、ピーク検索を採用することができ、毎周期を検索範囲として、１つの周期に検索された最高ピークを大動脈弁の開特徴点として、それに応じた時間は、大動脈弁開時間である。図８の曲線８２９に示すように、図中に第１の完全な心拍周期において、点８２０は、大動脈弁の開特徴点である。幾つかの実施例において、プロセッサ４０３は、曲線８２５を直接に特徴検索することによって、大動脈弁の開特徴点を確定することもでき、例えば、１つの心拍周期を１つの検索区間として、先ず最高ピークＪピークを検出し、そして、Ｊピークに応じて時間の前の時間範囲内に検索し、極小値（ＡＶＯピーク）を検出し、それを大動脈弁の開特徴点として、それに応じて時間は、大動脈弁開時間である。
【００５７】
幾つかの実施例において、プロセッサ４０３は、以下の操作を実行して、前記第２の血流力学関連情報に基づいて前記仰臥対象の脈波到達時間を確定することができる。図８に示すように、曲線８２７は、第２の血流力学関連情報の時間帯波形図であり、プロセッサ４０３は、曲線８２７を２階微分演算して、曲線８３１を取得することができる。曲線８３１の波形図に対して、プロセッサ４０３は、特徴検索することによって、脈波の到達特徴点を確定することができる。特徴検索における特徴は、ピークや、谷や、幅や、振幅や、極大値や、極小値や、最大値や、最小値などを含むことできるが、これらに限定されない。幾つかの実施例において、曲線８３１に対しての特徴検索は、ピーク検索を採用することができ、毎周期を検索範囲として、１つの周期に検索された最高ピークを脈波の到達特徴点として、それに応じた時間は、脈波到達時間である。図８の曲線８３１に示すように、図中に第１の完全な心拍周期において、点８２２は、脈波の到達特徴点である。
【００５８】
幾つかの実施例において、プロセッサ４０３は、他の本質に同等するディジタル信号処理方法によって、例えば、多項式当て嵌め平滑フィルタを採用し、２階微分演算と同等効果の情報を取得することができる。
【００５９】
幾つかの実施例において、仰臥対象の第１の振動情報と第２の振動情報は、連続に取得されるものであり、ある１つ又は幾つかの心拍周期内におけるデータ波形が他の心拍周期のデータ波形と異なる可能性を有し、この時に、当該心拍周期内の大動脈弁の開特徴点と脈波の到達特徴点は、それぞれ対応しての最高ピークではない可能性を有し、埋没する可能性を有し、この場合に、当該心拍周期のデータを捨てることができる。
【００６０】
幾つかの実施例において、プロセッサ４０３は、１つ又は複数の入力装置からユーザの入力を受信しており、前記仰臥対象の大動脈弁開時間と脈波到達時間を確定することができる。例えば、外部入力パラメータは、医療スタッフが入力装置（例えば、マウス、鍵盤）を利用して入力出力ポート４０９によって処理設備４００に入力することができる。医療スタッフは、訓練を経て振動情報波形から特徴点を判断する能力を有する。例えば、曲線８２５に対して、医療スタッフは、人工で波形分析を行うことができ、先ず、１つの心拍周期の最高ピークを選択し、そして、最高ピークに応じて時間の前の同じ周期範囲内に波形極小値を尋ねて、大動脈弁開特徴点として標記し、且つ、入力装置で標定し、例えば、マウスを利用して特徴点を選択し、従って、プロセッサ４０３は、医療スタッフの入力を大動脈弁開特徴点として確定するとともに、それに対応して時間を自動に取得して大動脈弁開時間とすることができる。
【００６１】
ステップ７１９において、プロセッサ４０３は、前記大動脈弁開時間と前記脈波到達時間に基づいて、前記仰臥対象の大動脈脈波伝導時間を確定することができる。幾つかの実施例において、プロセッサ４０３は、何れかの１つの心拍周期における大動脈弁開時間と脈波到達時間との差（脈波到達時間から大動脈弁開時間を減算する）を選択して大動脈脈波伝導時間とすることができる。幾つかの実施例において、プロセッサ４０３は、複数の心拍周期を選択し、例えば、２０個の心拍周期であり、各心拍周期の大動脈脈波伝導時間（即ち、ＰＴＴ１、ＰＴＴ２…ＰＴＴ２０）をそれぞれに計算し、そして、平均値を求めて大動脈脈波伝導時間とすることができる。幾つかの実施例において、プロセッサ４０３は、固定時間を選択し、例えば、６０秒であり、当該時間内の毎心拍周期内の脈波伝導時間（即ち、ＰＴＴ１、ＰＴＴ２…）を計算し、そして、平均値を求めて脈波伝導時間とすることができる。幾つかの実施例において、プロセッサ４０３は、脈波伝導時間の適正範囲外のデータを自動に除去し且つ残りの他のデータの平均値を脈波伝導時間とすることもできる。幾つかの実施例において、プロセッサ４０３は、試験における採取された全ての周期内の脈波伝導時間を計算し、そして、平均値を求めて脈波伝導時間とすることもできる。
【００６２】
ステップ７２１において、プロセッサ４０３は、前記第１の光ファイバセンサと前記第２の光ファイバセンサが体の身長の方向に沿っての距離を取得して前記仰臥対象の大動脈脈波伝導距離とし、前記大動脈脈波伝導距離と前記大動脈脈波伝導時間に基づいて、大動脈脈波伝導速度を確定することができる。幾つかの実施例において、第１の光ファイバセンサと第２の光ファイバセンサは、独立な装置であり、両者の間隔が人工で調節して異なる身長の試験対象に適合することができる。この場合の大動脈脈波伝導距離は、人工で測定することを採用することができ、例えば、医療スタッフは、軟定規や、直定規や、目盛り付けた線などの測距工具を用いて第１の光ファイバセンサと第２の光ファイバセンサの体の身長方向に沿った距離を測定して脈波伝導距離とする。幾つかの実施例において、第１の光ファイバセンサと第２の光ファイバセンサとの間の間隔は、固定可能であり、この場合に、両者の距離は、固定パラメータとすることができ、システムの初期化の際にプロセッサ４０３に伝送される。幾つかの実施例において、プロセッサ４０３は、取得された第１の光ファイバセンサと第２の光ファイバセンサが体の身長の方向に沿っての距離を直接に脈波伝導距離とすることができる。幾つかの実施例において、プロセッサ４０３は、取得された第１の光ファイバセンサと第２の光ファイバセンサの体の身長方向に沿た距離を補正することができ、例えば、補正係数を与え、また、１つの常数と加算し、そして、大動脈脈波伝導距離とすることができる。
【００６３】
幾つかの実施例において、大動脈脈波伝導距離は、公式によって推測することができ、例えば、試験対象の身長や、体重や、年齢などのパラメータをシステム１００の入力装置によって、データ入力を行うことができ、プロセッサ４０３は、即ち、公式によって試験対象の脈波伝導距離を推測することができる。例えば、プロセッサ４０３は、以下の公式によって、試験対象の大動脈長さ、即ち大動脈脈波伝導距離を推測することができる。
【００６４】
Ｌ＝ａ＋ｂ＊（年齢）＋ｃ＊（身長）＋ｄ＊（体重）
【００６５】
ここで、Ｌは、大動脈長さを表し、センチメートルを単位とし、年齢は、年を単位とし、身長は、センチメートルを単位とし、体重は、キログラムを単位とする。ａは、常数を表し、ｂ、ｃ、ｄは、係数であり、実際の人工で測定した大動脈長さと各試験者の年齢や、身長や、体重などによって、ａ、ｂ、ｃ、ｄの数値を当て嵌め計算して取得することができ、例えば、幾つかの実施例において、ａは、−２１．３にし、ｂは、０．１８にし、ｃは、０．３２にし、ｄは、０．０８にすることができる。
【００６６】
ステップ７２３において、プロセッサ４０３は、前記脈波伝導時間と前記脈波伝導速度の中の少なくとも１つを１つ又は複数の出力装置に伝送することができる。例えば、脈波伝導時間は、システム１００における出力装置１０９に伝送して出力することができる。出力装置１０９は、表示装置であってもよく、例えば、携帯電話であり、図形又は文字によって脈波伝導時間を表示することができる。出力装置１０９は、印刷装置であってもよく、脈波伝導パラメータの測定報告を印刷する。出力装置１０９は、音声放送装置であってもよく、脈波伝導パラメータを音声で出力する。幾つかの実施例において、プロセッサ４０３は、無線ネットワークを通じて脈波伝導時間及び／又は脈波伝導速度を出力装置に伝送することができ、例えば、出力装置は、携帯電話である。幾つかの実施例において、ケーブルを通じて脈波伝導時間及び／又は脈波伝導速度を直接に出力装置に伝送することができ、例えば、出力装置は、表示装置であり、ケーブルによってセンサ装置と電気的に接続されることができる。
【００６７】
幾つかの実施例において、方法７００のステップは、順次に実行されてもよいし、幾つかの実施例において、方法７００のステップは、順次なくて実行されてもよいし、又は同時に実行されてもよい。幾つかの実施例において、前記大動脈弁開時間と前記脈波到達時間に基づいて、脈波伝導時間を確定するステップ７１９と、前記第１の光ファイバセンサと前記第２の光ファイバセンサの体の身長方向に沿った距離を取得して前記仰臥対象の大動脈脈波伝導距離とし、前記大動脈脈波伝導距離と前記大動脈脈波伝導時間に基づいて、大動脈脈波伝導速度を確定するステップ７２１と、及び前記脈波伝導時間を１つ又は複数の出力装置に伝送するステップ７２３は、同時に実行されることができる。また、幾つかの実施例において、ここで説明するテームの精神と範囲を逸脱しない場合に、幾つかの実施例において、方法７００は、１つ又は複数のステップを除去することができ、例えば、ステップ７２１及び／又はステップ７２３が実行されなくてもよいし、幾つかの実施例において、他の操作が方法７００に追加されてもよい。
【００６８】
図９は、本願の幾つかの実施例によるセンサ装置の概略図である。図９に示すように、センサ装置９００は、１つの本体９０１、第１の光ファイバセンサ９０３、第２の光ファイバセンサセット９０５、及び定位指示器９０７を含むことができるが、これらに限定されない。
【００６９】
第１の光ファイバセンサ９０３と第２の光ファイバセンサセット９０５は、定位指示器９０７との間の位置関係、及び本体９０１との位置関係を明確に説明するために、ここで対応する座標系を導入して説明する。センサ装置９００は、ベッドに放置されてもよいし、又は地板に直接に放置されてもよく、従って、Ｚ軸は、地面に垂直する方向を表し、地面から離れた方向は、正方向であり、ＸＹ平面は、水平面と平行し、Ｘ軸は、センサ装置９００に沿っての幅方向であり、Ｙ軸は、センサ装置９００に沿っての長さ方向であり、原点Ｏは、センサ装置９００の１つの端点縁の中点に位置する。ＹＺ平面は、センサ装置９００を左右両部分に区分けする。Ｙ軸方向に沿って、相対的に上下方向を表すことができ、例えば、背部区域と腰部区域との境界線は、背部区域の下縁と呼ばれることができ、同時に、腰部区域の上縁でもある。
【００７０】
本体９０１は、上カバー９１１と下カバー９１３を含むことができ、上カバー９１１と下カバー９１３は、第１の光ファイバセンサ９０３と第２の光ファイバセンサ９０５を内部に被覆し、上カバー９１１と下カバー９１３は、縫い糸又は接着剤によって一体に貼着する。本体９０１は、Ｙ軸方向に沿って、背部区域、腰部区域、及び下肢区域の順に区分けされることができる。本体９０１の寸法は、試験対象の体型と身長によって選択することができ、例えば、その長さ（Ｙ軸に沿って）は、１９０ｃｍとすることができ、幅は、８５ｃｍとすることができ、この寸法は、多数人に適合し、他の適合した寸法とすることもでき、ここで限定されない。相応に、本体の背部区域、腰部区域、及び下肢区域の幅（Ｘ軸に沿って）は、試験対象の体型と身長によって選択することもでき、例えば、多数人に適合した寸法は、背部区域の幅は、３０ｃｍであり、腰部区域の幅は、５０ｃｍであり、他の適合した寸法とすることもでき、ここで限定されない。対象がセンサ装置９００に仰臥する時に、仰臥姿勢とする時に、背部、腰部、及び下肢は、背部区域、腰部区域、及び下肢区域に順次に位置され、上肢は、背部区域と腰部区域に位置される。上カバー９１１と下カバー９１３は、多種の材質を採用することができ、例えば、皮質や、綿質などである。
【００７１】
第１の光ファイバセンサ９０３は、背部区域に位置される。第１の光ファイバセンサ９０３は、図５に示すような構造を採用することができる。幾つかの実施例において、図９に示すように、第１の光ファイバセンサ９０３の長さ（Ｘ軸に沿って）は、試験対象の体型と身長によって選択することができ、例えば、５０ｃｍとすることができ、幅（Ｙ軸に沿って）は、試験対象の体型と身長によって選択することができ、例えば、３０ｃｍとすることができ、多数人に適合し、他の適合した寸法とすることもでき、ここで限定されない。対象がセンサ装置９００に仰臥する時に、左右の身体部分は、ほぼＹ軸に沿って対称であり、肩部の上縁は、背部区域の上縁と合わせ、背部は、本体の背部区域に位置され、両肢は、自然に閉じ、両腕は、自然に体の両側に垂れ、この場合に、対象の背部は、第１の光ファイバセンサ９０３に位置される。第１の光ファイバセンサ９０３は、対象の第１の振動情報を取得するように配置される。
【００７２】
第２の光ファイバセンサセット９０５は、複数の光ファイバセンサを含むことができ、複数の光ファイバセンサ（９０５−１、９０５−２…９０５−ｎ）は、Ｘ軸方向に沿って腰部区域に順に配列されることができる。Ｙ軸方向は、本体の縦軸と呼ばれることもでき、Ｘ軸方向は、本体の横軸である。複数の光ファイバセンサは、図５に示すような構造を採用することができる。幾つかの実施例において、図９に示すように、６つの光ファイバセンサがＹ軸に沿って順に配列されることができ、各光ファイバセンサの幅（Ｙ軸に沿って）は、１ｃｍ−２０ｃｍとすることができ、長さ（Ｘ軸に沿って）は、１０ｃｍ−８０ｃｍとすることができ、他の適合した寸法とすることもでき、ここで限定されない。幾つかの実施例において、第２の光ファイバセンサセット９０５における光ファイバセンサの数量は、変化可能であり、試験対象の身長が特に高い場合に、光ファイバセンサの数量を追加することができ、例えば、８つ以上に追加しており、試験対象が仰臥する時に、第２の光ファイバセンサセット９０５におけるＹ軸に沿って排列された最後の光ファイバセンサは、試験対象の寛骨の下方に位置できればよい。対象がセンサ装置９００に仰臥する時に、左右の体部分は、ほぼＹ軸に沿って対称であり、肩部の上縁が背部区域の上縁と揃えられ、両肢は、自然に閉じ、両腕は、自然に体の両側に垂れ、この場合に、対象の腰部と臀部は、センサ装置の腰部区域に位置される。第２の光ファイバセンサセット９０５は、対象の第２の振動情報を取得するように配置され、第２の振動情報は、腰部で各センサが検出された人体振動情報を含むことができる。
【００７３】
定位指示器９０７は、試験対象が好ましい測量位置に迅速に横たわるように指示・補助するように配置される。図９に示すように、定位指示器９０７は、肩部ストッパーであり、当該肩部ストッパーは、本体９０１の上カバー９１１に固定されることができ、例えば、縫合によって上カバー９１１と一体になる。幾つかの実施例において、肩部ストッパーは、脱着可能な方式によって上カバー９１１と接続することもでき、例えば、マジックテープ(登録商標)によって上カバー９１１と一体になる。幾つかの実施例において、定位指示器９０７は、複数の肩部ストッパーを含むことができ、図１０に示すように、３つのセンサ装置の上面図であり、センサ装置１００１の定位指示器は、２つの肩部ストッバー１０１１を含むことができ、背部区域の境界線に近い側に配置され、左肩ストッバーと右肩ストッバーは、Ｙ軸の両側に配列されることができ、両者の間の距離間隔は、対象が横になった場合に、頸部が左肩ストッバーと右肩ストッバーとの間に位置させ、且つ左肩と右肩をそれぞれ左肩ストッバーと右肩ストッバーに当接させることができ、それによって対象の肩部が背部区域の上縁と揃えさせる。幾つかの実施例において、左肩ストッバーと右肩ストッバーとの間の間隔は、１３０ｍｍとすることができる。幾つかの実施例において、左肩ストッバーと右肩ストッバーとの間の間隔は、変化可能であり、異なる体型の対象によって対応する間隔を選択することができ、例えば、肩部ストッパーは、マジックテープ(登録商標)によって上カバー９１１と接続する場合に、上カバー９１１におけるマジックテープ(登録商標)の丸い毛の寸法は、肩部ストッパーの刺毛の寸法より大きいことができ、測量補助者（例えば、医療スタッフ）が対象の体型によって肩部ストッパーの位置を調整することができる。
【００７４】
幾つかの実施例において、定位指示器９０７は、１つ又は複数の脚部ストッバーを含むことができ、例えば、２つの脚部ストッバーであり、下肢区域に配置され、対象がセンサ装置に横たわる場合に、対象の脚部又は下腿を当てることを提供しており、対象の両足を伸ばさせ且つ閉じた姿勢にさせる。幾つかの実施例において、脚部ストッバーは、本体９０１の上カバー９１１に固定されることができ、例えば、縫合によって上カバー９１１と一体になる。幾つかの実施例において、脚部ストッパーは、脱着可能な方式で上カバー９１１と接続することもでき、例えば、マジックテープ(登録商標)によって上カバー９１１と一体になる。幾つかの実施例において、左脚ストッバーと右脚ストッバーとの間の間隔は、３００ｍｍとすることができる。図１０に示すように、センサ装置１００１は、２つの脚部ストッバー１０１３を含むことができる。幾つかの実施例において、肩部ストッバーと脚部ストッバーとの形状が変化してもよいし、色も変化してもよく、本願は、その形状と色を限定するものではない。図１０に示すようなセンサ装置１００３の定位指示器は、２つの肩部ストッバー１０３１と２つの脚部ストッバー１０３３を含む。
【００７５】
幾つかの実施例において、定位指示器９０７は、１つの枕を含むことができ、当該枕が、背部区域の境界線に近い側に配置され、且つ正中（Ｙ軸に近づく）に配置される。枕は、対象が横たわる場合に、頸を当てることを提供することができ、これにより対象の肩部を背部区域の上縁と揃えさせる。幾つかの実施例において、枕は、本体９０１の上カバー９１１に固定されることができ、例えば、縫合によって上カバー９１１と一体になる。幾つかの実施例において、枕は、脱着可能な方式で上カバー９１１と接続することもでき、例えば、マジックテープ(登録商標)によって上カバー９１１と一体になる。幾つかの実施例において、枕の外形は、円柱体又は近似円柱体が可能であり、これにより体の頸部生理弧度と貼り合わせる。図１０に示すように、センサ装置１０５の定位指示器１０５１は、枕として１つの実施例である。
【００７６】
幾つかの実施例において、センサ装置９００は、１つの支持板９０９を含むこともできる。支持板９０９は、第１の光ファイバセンサ９０３と第２の光ファイバセンサセット９０５に支持を提供するように配置され、第１の光ファイバセンサ９０３と第２の光ファイバセンサセット９０５の下に放置するように配置され、且つ第１の光ファイバセンサ９０３と第２の光ファイバセンサセット９０５と一緒に本体９０１内に被覆されることができる。支持板９０９は、例えば、木板や、ＰＶＣ板などの硬質構造を採用することができる。
【００７７】
図１１は、本願の幾つかの実施例による位置決め指示器の概略図である。幾つかの実施例において、図９における本体９０１の上カバー９１１は、立体構造を採用することができ、例えば、図１１に示すように、センサ装置１０００の上カバーは、人体輪郭凹み構造１１０１を含むことができる。対象が上カバーに仰臥する時に、身体は、人体輪郭凹み構造１１０１に位置することができる。人体輪郭凹み構造１１０１は、センサ装置のＹ軸に近づくに配置され、Ｙ軸に沿って対称的に配列され、対象が人体輪郭凹み構造１１０１に仰臥する時に、対象の頭部がセンサ装置１１００に位置し、背部がセンサ装置１１００の背部区域に位置し、腰部がセンサ装置１１００の腰部区域に位置し、下肢がセンサ装置１１００の下肢区域に位置する。幾つかの実施例において、センサ装置は、対象の身長によって異なる寸法を有することができ、それに応じて、人体輪郭凹み構造１１０１は、対象の身長、体型の異なることによって、変化することができる。幾つかの実施例において、身長が１５５ｃｍ−１６０ｃｍの群に適合した寸法は、Ｓ号に設置し、従って、身長が１６１ｃｍ−１７０ｃｍの群に適合した寸法は、Ｓ号に基づいて全体に予定の寸法を加えることができ、例えば、２−５ｃｍである。幾つかの実施例において、図９における本体９０１の上カバー９１１は、平面構造を採用することができ、この場合に、明確な識別性を有する輪郭線を用いて人体輪郭を表すことができ、例えば、上カバー９１１は、白い色を用いる場合に、赤色線を用いて人体輪郭を識別することができる。
【００７８】
注意すべき点は、上記の説明は、本願に記載された具体的な実施例にすぎず、唯一の実施例と見るべきではない。明らかに、当業者と言えば、本発明の内容及び原理を理解した後に、本発明の原理及び構造を逸脱することなく、様々な形式的・詳細的な修正及び変形を行うことができるが、これらの修正及び変形は、本発明の特許請求の範囲内に属するべきである。
【図１】
2021521963.tif 000003
【図２】
2021521963.tif 000004
【図３】
2021521963.tif 000005
【図４】
2021521963.tif 000006
【図５】
2021521963.tif 000007
【図６】
2021521963.tif 000008
【図７】
2021521963.tif 000009
【図８】
2021521963.tif 000010
【図９】
2021521963.tif 000011
【図１０】
2021521963.tif 000012
【図１１】
2021521963.tif 000013
【国際調査報告】
2021521963.tif 000014
2021521963.tif 000015
2021521963.tif 000016
2021521963.tif 000017